(57)【要約】【課題】渦巻きばねのばね力調整を簡便で迅速に行えるようにする。【解決手段】ロールパイプの両端に回転軸手段を設け、該回転軸手段を抜き差し自在に支持する軸受支持ケース８を窓枠の側枠３に設ける。軸受支持ケース８に、軸受１４と渦巻きばね１５とばね収納ケース１６と位置決め用ストッパ８とを収容する。渦巻きばね１５は遮蔽シート材をロールパイプに巻き取り方向に常時回転付勢する。ばね収納ケースと軸受支持ケースとの間に回転規制手段を設け、渦巻きばねのばね力による前記ばね収納ケースの回転を規制する。ばね収納ケース１６を回転するだけで、渦巻きばね１５のばね力を調整する。【選択図】図３
2008297735.tif 000002
【特許請求の範囲】
【請求項１】
窓枠の一側端に設けられ、該窓枠の他側端との間に亘って開閉される遮蔽シート材を巻装したロールパイプと、
該ロールパイプの両端に固着される回転軸手段と、
該回転軸手段を収容する軸孔を有し、前記ロールパイプと一体に回転する軸受と、
前記窓枠の一側端に設けられ、前記軸受を回転可能に支持する軸受支持ケースと、
該軸受支持ケースと前記軸受との間で、該軸受回りに相対回転可能に配設されるばね収納ケースと、
該ばね収納ケースに収容され、且つ内端を前記軸受に係止されるとともに、外端を前記ばね収納ケースに係止させて、前記遮蔽シート材を常時ロールパイプに巻き取る方向へ付勢する渦巻きばねと、
前記ばね収納ケースと前記軸受支持ケースとの間に設けられ、前記渦巻きばねのばね力による前記ばね収納ケースの回転を規制する回転規制手段とを備えるとともに、
該回転規制手段は、前記ばね収納ケースの外周面に所定間隔で刻設された複数の位置決め用凹部と、
該複数の位置決め用凹部と選択的に係合する位置決めストッパと、
該位置決めストッパを前記ばね収納ケースの外周面にへ弾発する弾発手段とを有し、
前記位置決めストッパが前記複数の位置決め用凹部のいずれかと選択的に係合することにより、前記遮蔽シート材の巻き取り速度が調整される
ことを特徴とする窓用遮蔽シート材の巻き取り装置。
【請求項２】
前記軸受支持ケースに、前記バネ収納ケース外周面の一部を露出させる操作用切欠き部を設けた
ことを特徴とする請求項１に記載の窓枠の遮蔽装置。
【請求項３】
前記窓枠の一側端に、前記ロールパイプを覆う蓋部材を回動可能に設けるとともに、
該蓋部材の内面に、前記操作用切欠き部に露出する前記ばね収納ケース外周面の位置決め用凹部と係合する突起部を設けた
ことを特徴とする請求項１または２に記載の窓用遮蔽シート材の巻き取り装置。
【請求項４】
前記回転軸手段は、前記ロールパイプの内部に設けた外筒部材と、該外筒部材に一体回転可能に収納され、且つ、前記軸受の軸孔に収容される回転軸を設けた内筒部材と、該内筒部材と前記外筒部材との間に縮設され、前記内筒部材を常時外方へ付勢する第２弾発手段とを有することを特徴とする請求項１〜３のいずれかに記載の窓用遮蔽シート材の巻き取り装置。
【発明の詳細な説明】
【技術分野】
【０００１】
本発明は、巻き取り式の網戸やロールスクリーン，ローマンシェード等の窓用遮蔽シート材に用いる巻き取り装置に関する。
【背景技術】
【０００２】
例えば、巻き取り式の網戸に用いられる巻き取り装置は、遮蔽シート材である網戸を巻装したロールパイプを、窓枠の一側端に回転可能に取付け、該一側端に収容した渦巻きばねのばね力に抗して遮蔽シート材を窓枠の他側端に向かって引き出すことで窓枠を遮蔽する。
窓枠の一側端には、渦巻きばねのばね力を調整するばね調整装置がケーシングに設けられ、このばね力調整装置を係脱操作盤とばね調整盤とで構成して、係脱操作盤に押し込み操作と解放操作を繰り返して行うことで、渦巻きばねのばね力を小刻みに弱めていくことができ、また、前記ばね調整盤を回動操作することで、渦巻きばねの強さを無段階に高められる。これにより、渦巻きばねの強弱調整を小刻みに行うことができる（例えば、特許文献１参照）。
【特許文献１】特開２０００−４５６５９号公報
【発明の開示】
【発明が解決しようとする課題】
【０００３】
しかしながら、特許文献１のばね力調整装置では、渦巻きばねのばね力を弱めるには係脱操作盤を操作し、また渦巻きばねのばね力を強める場合には、ばね調整盤を操作することで行う構造であるため、ばね力調整装置としての構成部品点数が多く、構造が複雑化し、またばね力調整が係脱操作盤とばね調整盤との２つの機構を使い分けて操作しなければならないので、それだけばね力調整作業に手間取るといった問題があった。
【０００４】
本発明は、上記の問題点を解決するために提案されたもので、構造が簡単で、渦巻きばねのばね力調整操作を簡易迅速に行え、窓枠への着脱が容易に行えてメンテナンスが容易な窓用遮蔽シート材の巻き取り装置を提供することを目的とする。
【課題を解決するための手段】
【０００５】
本発明は、窓用遮蔽シート材の巻き取り装置であって、窓枠の一側端に設けられ、該窓枠の他側端との間に亘って開閉される遮蔽シート材を巻装したロールパイプと、該ロールパイプの両端に固着される回転軸手段と、該回転軸手段を収容する軸孔を有し、前記ロールパイプと一体に回転する軸受と、前記窓枠の一側端に設けられ、前記軸受を回転可能に支持する軸受支持ケースと、該軸受支持ケースと前記軸受との間で、該軸受回りに相対回転可能に配設されるばね収納ケースと、該ばね収納ケースに収容され、且つ内端を前記軸受に係止されるとともに、外端を前記ばね収納ケースに係止させて、前記遮蔽シート材を常時ロールパイプに巻き取る方向へ付勢する渦巻きばねと、前記ばね収納ケースと前記軸受支持ケースとの間に設けられ、前記渦巻きばねのばね力による前記ばね収納ケースの回転を規制する回転規制手段とを備えるとともに、該回転規制手段は、前記ばね収納ケースの外周面に所定間隔で刻設された複数の位置決め用凹部と、該複数の位置決め用凹部と選択的に係合する位置決めストッパと、該位置決めストッパを前記ばね収納ケースの外周面にへ弾発する弾発手段とを有し、前記位置決めストッパが前記複数の位置決め用凹部のいずれかと選択的に係合することにより、前記遮蔽シート材の巻き取り速度が調整されることを特徴としている。
【０００６】
渦巻きばねを収納したばね収納ケースは、回転規制手段によりその回転が軸受支持ケースに位置決め固定される。この状態で遮蔽シート材がロールパイプから引き延ばされるとき、渦巻きばねのばね力に抗して遮蔽シート材が開閉される。
また、渦巻きばねのばね力を調整する場合には、ばね収納ケースを軸受回りに適宜の方向に回転させ、所望の回転位置で回転規制手段をばね収納ケースに係合させて回転を規制する。これにより、ばね収納ケースに収納された渦巻きばねのばね力は、強弱いずれにも設定が可能となる。
【０００７】
さらに回転規制手段を、ばね収納ケースの外周面に所定間隔で刻設された複数の位置決め用凹部と、該複数の位置決め用凹部と選択的に係合する位置決めストッパと、該位置決めストッパを位置決め用凹部へ弾発する弾発手段とを有し、位置決めストッパが複数の位置決め用凹部のいずれかと選択的に係合することにより、遮蔽シート材の巻き取り速度を調整することができる。
【０００８】
この位置決めストッパは、ばね収納ケース外周面の位置決め用凹部に係合するように構成することで、ばね収納ケースの回転量を調整した後、軸受支持ケースに対するばね収納ケースの位置決め固定が確実に行えるようになる。
【０００９】
軸受支持ケースには、バネ収納ケース外周面の一部を露出させる操作用切欠き部を設けるとよい。かかる構成によれば、軸受支持ケースから一部外部に露呈したばね収納ケースの外周面を手指をあてて操作できるので、確実なばね調整作業が行える。
【００１０】
また、窓枠の一側端に、ロールパイプを覆う蓋部材を回動可能に設け、該蓋部材の内面に、操作用切欠き部に露出するばね収納ケース外周面の位置決め用凹部と係合する突起部を設けることもできる。
本構成では、ロールパイプを窓枠の一側縁にセットした後、蓋部材を閉じると同時に、突起部がばね収納ケース外周面の位置決め用凹部に係合するので、位置決めストッパに加えて、ばね収納ケースの不用意な回転をより一層確実に阻止する。
【００１１】
また回転軸手段は、ロールパイプの内部に設けた外筒部材と、該外筒部材に一体回転可能に収納され、且つ、軸受の軸孔に収容される回転軸を設けた内筒部材と、該内筒部材と外筒部材との間に縮設され、内筒部材を常時外方へ付勢する第２弾発手段とを有する構成にするとよい。
【００１２】
係る構成とすることで、遮蔽シート材を巻装したロールパイプを窓枠の一側端に設けた軸受支持ケースに取付けるとき、第２弾発手段のばね力に抗して内筒部材の回転軸を外筒部材側に収縮変位させた状態で軸受支持ケースの軸受に形成した軸孔に差し込むことができる。こうして、ロールパイプの軸受支持ケースに対する着脱操作を簡便に行え、ユーザによるロールパイプ等の交換作業、メンテナンス作業を容易に行えるようになる。  
【発明の効果】
【００１３】
本発明によれば、ばね収納ケースを回転制御するだけで、適宜の回転量に応じた位置で回転規制手段が作動してばね収納ケースを位置決め固定するので、渦巻きばねのばね力を自由に設定できる。すなわち、本発明は、初巻調整機能を発揮する構成としてので、簡易に遮蔽シート材のロールパイプに対する巻き取りスピード、換言すれば、窓枠に対する開閉速度を自由に調整することができる効果を奏する。
【００１４】
また回転規制手段を、ばね収納ケース外周面に所定間隔ごとに設けた位置決め用凹部と、軸受支持ケースに取付けた位置決めストッパとで形成したので、軸受支持ケースに対するばね収納ケースの回転位置を確実に行え、その結果、渦巻きばねのばね力調整を確実且つ容易に行うことができる。
【００１５】
軸受支持ケースに操作用切欠き部を設けることにより、手指によるばね収納ケースの回転操作が行い易く、ひいては確実なばね調整作業を実行できる利点がある。
【００１６】
また、蓋部材の内面に操作用切欠き部に突出させるばね収納ケースの位置決め用凹部に係合する突起部を設けたので、位置決めストッパと相まってばね収納ケースの回転に対する位置決めを行うことができ、渦巻きばねのばね力を強めに設定してばね力が大きくなった場合でも、二重ストッパ機能により安全確実に遮蔽シート材の開閉を実行できる利点がある。
【００１７】
回転軸手段を、外筒部材と、該外筒部材に一体回転可能に収納された内筒部材と、該内筒部材を常時外方へ付勢する第２弾発手段とで形成しているので、ロールパイプの軸受支持ケースに対する着脱操作を簡便に行え、ユーザによるロールパイプ等の交換作業、メンテナンス作業を容易に行うことができる利点がある。
【発明を実施するための最良の形態】
【００１８】
以下、本発明の窓用遮蔽シート材の巻き取り装置を、図面に示す一実施例に基づいて説明する。以下の説明では、窓用遮蔽シート材の巻き取り装置として、例えば、横引き式のロール網戸に適用した場合を例に挙げて説明するが、本発明は、縦引き式のロールスクリーン，ローマンシェード等、その他の窓用遮蔽シート材の開閉にも適用ができる。
図中、図１は窓用遮蔽シート材の巻き取り装置１の全体構成の外観を示す斜視図、図２はロールパイプ９を軸受支持ケース８に装着する状態を示す外観拡大斜視図、図３はロールパイプ９が開閉される構成を分解して示した分解斜視図である。
【００１９】
本実施例の巻き取り装置１が装着される窓枠２は、一側端に位置する一方の側枠３及び他側端に位置する他方の側枠４と、これら両側枠２，３の上下端を連結する上枠５及び下枠６とからなっている。上下枠５，６は、それぞれ断面コ字状のチャンネル形に形成され、その内部にガイド溝７，７が対向して設けられており、側枠３の両端に軸受支持ケース８，８が設けられている。
【００２０】
ロールパイプ９は、ロール式網戸を用いた遮蔽シート材１０を巻装するもので、一側端に位置する一方の側枠３に設けられている。ロールパイプ９の両端には、後述する回転軸手段１１，１１が設けられ、該回転軸手段１１，１１を介してロールパイプ９が軸受支持ケース８，８に回転自在に開閉される。
軸受支持ケース８，８とロールパイプ９とは、開閉自在なメンテナンス用の蓋部材１２によって覆われる。遮蔽シート材１０は、ロールパイプ９から引き出されたり、巻き取られるときには、遮蔽シート材１０の上下両側縁が上下枠５，６のガイド溝７，７（図２参照）に案内されて移動するようになっている。
【００２１】
図３に示すように、軸受支持ケース８は、第１ケース８ａ及び第２ケース８ｂとの二分割構造であり、両ケース８ａ，８ｂの内側にはそれぞれ円形凹部８ｃが形成され、これら２つの円形凹部８ｃで形成される内部空間に、軸受１４と、該軸受１４を内包するように設けた渦巻きばね１５と、該渦巻きばね１５および前記軸受１４を収容するダイヤル状のばね収納ケース１６と、該ばね収納ケース１６を密閉するリング状の蓋１７と、回転規制手段２０とが収容される。
【００２２】
図４〜図６に示すように、軸受１４は、中心に角柱状の軸孔１４ｃが形成され、該軸孔１４ｃに回転軸手段１１の角柱状の回転軸１３を収容して、第１ケース８ａと第２ケース８ｂとの間に回転可能に軸支され、これにより、回転軸１３の回転トルクが軸受１４に伝達される。また、軸孔１４ｃには、外部に通じる微少な間隙１４ｄが形成される。
【００２３】
渦巻きばね１５は、板ばねを渦巻き状に巻いたいわゆるゼンマイばねであり、その中心側端部に折り起こした内端１５ａが形成され、外側には同様に折り起こした外端１５ｂが形成されており、内端１５ａは前記軸受１４の間隙１４ｄに係止される。
【００２４】
図３，図７に示すように、ばね収納ケース１６は短円筒形のダイヤル状を呈し、その外周面に例えば、８個の位置決め用凹部１６ａが等間隔に形成されており、その内周には、渦巻きばね１５を収容する円形状の収容部１６ｂと、渦巻きばね１５の外端１５ｂを係止する凹部１６ｃと、軸受１４の外周回りに軸支される挿通孔１６ｄとが形成されている。軸受１４と渦巻きばね１５とを収容したばね収納ケース１６に蓋１７が被せられることで、渦巻きばね１５は軸受１４とばね収納ケース１６との間で係止され、且つ軸受１４の回りに相対回転が可能となる。
【００２５】
図３，図８において、軸受支持ケース８の第１，第２ケース８ａ，８ｂに凹部８ｄが形成され、ここに位置決めストッパ１８が収容される。位置決めストッパ１８は、ストッパ片１８ａと、圧縮コイルばねを用いた第１弾発手段１８ｂとでなり、ストッパ片１８ａには第１弾発手段１８ｂを収納する空所１８ｃが形成され、且つ、ストッパ片１８ａの先端は前記位置決め用凹部１６ａに係合するための尖り部１８ｄが設けられる。したがって、ストッパ片１８ａは凹部８ｄ内で移動可能であり、尖り部１８ｄは、第１弾発手段１８ｂのばね力により常時ばね収納ケース１６の外周面に弾接し、位置決め用凹部１６ａのいずれかと係合することにより、ばね収納ケース１６の軸受１４に対する回転移動が規制され、回転規制手段２０が構成される。
【００２６】
図３に示すように、回転規制手段２０は、ばね収納ケース１６の外周面に形成した８個の位置決め用凹部１６ａと、位置決めストッパ１８及び第１弾発手段１８ｂとで構成される。これにより、位置決めストッパ１８を位置決め用凹部１６ａのいずれかに係合させることによって初巻調整機能としてのばね荷重が設定され、ばね収納ケース１６を渦巻きばね１５のばね力を弱めたり、あるいは強めたりする方向へ回転操作することで渦巻きばね１５の巻き取り荷重であるばね力を調整できる。同時に、遮蔽シート材１０の巻き取り速度、すなわち遮蔽シート材１０の開閉速度が設定される。
なお、ばね収納ケース１６の最適な位置の位置決め用凹部１６ａに適宜の色（マーカー）を着色しておくことで、上下に配置した渦巻きばね１５のばね力の調整を均等に行える。
【００２７】
図２〜図４に示すように、各軸受支持ケース８には操作用切欠き部８ｅが設けられ、操作用切欠き部８ｅからばね収納ケース１６の一部が外部へ突出するようにしている。これにより、ばね収納ケース１６の回転操作が手指で行いやすくなる。
【００２８】
図９において、蓋部材１２には、前記操作用切欠き部８ｅに嵌り込む形状の突部１２ａが設けられている。突部１２ａに、円弧部１２ｂと係合突起１２ｃが設けられ、蓋部材１２を閉じた場合に、位置決めストッパ１８が係合する位置決め用凹部１６ａとは異なる別の位置決め用凹部１６ａに係合突起１２ｃが係合する。これにより、ばね収納ケース１６の回転を阻止する二重ロック機構が形成される。
【００２９】
図１０において、ロールパイプ９の回転を支持する回転軸手段１１は、ロールパイプ９の両端に固着される外筒部材２１と、該外筒部材２１に一体回転可能で、且つ出没自在に収納された内筒部材２２と、両筒部材２１，２２の間に画成された内部空間に縮設される第２弾発手段２３とからなっている。
内筒部材２２は、大径のピストン部２２ａと小径の胴部２２ｂを有し、該ピストン部２２ａには、その一部を切り欠いて形成した平坦部２２ｃが設けられている。外筒部材２１の内周には、平坦部２２ｂを案内する平坦部２１ａが外筒部材２１の全長に亘って形成される。これにより、内筒部材２２は外筒部材２１に対してロールパイプ９の軸方向へは相対移動可能で、周方向へは一体回転可能な関係を持つ。
【００３０】
第２弾発手段２３には圧縮コイルばねが用いられており、内筒部材２２は、第２弾発手段２３の弾発力によって常時外方向へ付勢されている。内筒部材２２に第２弾発手段２３のばね力に抗する外力Ｆを作用させると、内筒部材２２は、図１０（ｂ）に示すように、そのフランジ部２２ｄが外筒部材２１に当接するまで収縮させることができる。こうして、蛍光灯の装填原理と同様に、回転軸１３を軸孔１４ｃに抜き差し自在とすることができる。
【００３１】
ロールパイプ９に遮蔽シート材１０を巻き付けたロール体２４を軸受支持ケース８間に取付ける場合には、図２の矢印で示すように、回転軸１３を軸受１４の軸孔１４ｃに挿入して行うが、これに先だって、図１０（ａ）の状態にある内筒部材２２を同図（ｂ）のように、第２弾発手段２３のばね力に抗して外筒部材２１へ収縮移動させ、この状態の回転軸１３を軸孔１４ｃに合致させて挿入することにより、ロール体２４を軸受支持ケース８間に装填する。
装填状態においては、回転軸１３近傍に設けたリング状のベアリング部１３ａは軸受支持ケース８の第２ケース８ｂに当接し、フランジ部２２ｄが摩擦接触することがないようにしている。逆に、ロール体２４を軸受支持ケース８から取り外す場合には、一旦フランジ部２２ｄを把持するなどして内筒部材２２を収縮させ、この状態で回転軸１３を軸孔１４ｃから解脱することで行う。
【００３２】
図２に示すように、遮蔽シート材１０の先端側には、磁石２５が取付けられていて、遮蔽シート材１０を全閉したとき、窓枠の他側端４に設けた図示しない吸磁体に吸着させることにより、窓枠２に対する最大引き出し状態である全開状態を保持できるようにしている。
【００３３】
本実施例の巻き取り装置１によれば、回転規制手段２０を設けているので、通常使用状態時においては、位置決め用ストッパ８と、蓋部材１２の係合突起１２ｃとが、ばね収納ケース１６の位置決め用凹部１６ａに係合している。これにより、ロールパイプ９から遮蔽シート材１０を引き出すときは、回転軸１３が軸受１４と一体になり渦巻きばね１５を巻き上げながら回転し、遮蔽シート材１０先端側の磁石２５を窓枠２側の吸磁体に吸着させて全開状態を保持する。
また、遮蔽シート材１０をロールパイプ９に巻き戻す場合には、磁石２５を窓枠２側の吸磁体に吸着を解除することにより、渦巻きばね１５の戻り力で遮蔽シート材１０がロールパイプ９に巻き取られていく。この際、ばね収納ケース１６には、位置決め用ストッパ８と蓋部材１２の係合突起１２ｃとが同時に係合しているので、誤作動して不用意に回転することはない。また、回転規制手段２０を設けた構成により、遮蔽シート材１０を引き出したり、巻き戻したりすることによる窓枠２の遮蔽を安定且つ確実に行うことができる。
【００３４】
遮蔽シート材１０の巻き取り速度を調整する場合、すなわち、初巻調整を行う場合は、蓋部材１２を開き、ばね収納ケース１６を回転して行う。例えば、渦巻きばね１５のばね力を弱める場合には、図３の矢印Ｒ方向に軸受支持ケース８を手指で回転し、強める場合には、矢印Ｒとは反対方向に回転させ、所定の位置決め用凹部１６ａに位置決め用ストッパ８を係合させる。また、蓋部材１２を閉じて係合突起１２ｃを位置決め用凹部１６ａに係合させる。このように、回転規制手段２０によって、遮蔽シート材１０の開閉速度、つまり、遮蔽シート材１０の巻き取りスピードを簡易に調整できる。
【００３５】
さらに、ロールパイプ９に設けた回転軸手段１１の内筒部材２２を外筒部材２１に収縮移動させるだけで、ロールパイプ９に遮蔽シート材１０を巻き付けたロール体２４を軸受支持ケース８から簡便に着脱することができる。したがって、メンテナンス用としてロールパイプ９、回転軸手段１１、窓枠２等をキットとして製造販売ができる。
【図面の簡単な説明】
【００３６】
【図１】本発明の一実施例を示す窓用遮蔽シート材の巻き取り装置の外観斜視図である。
【図２】本発明の一実施例を示すロールパイプを軸受支持ケースに装着する状態の外観拡大斜視図である。
【図３】本発明の一実施例を示す窓用遮蔽シート材の巻き取り装置の分解斜視図である。
【図４】本発明の一実施例を示す軸受支持ケースに蓋部材を閉じた状態を示す側面図である。
【図５】図４のＡ−Ａ線における断面矢視図である。
【図６】本発明の一実施例の軸受に係り、（ａ）は側面図、（ｂ）は（ａ）のＢ−Ｂ線における断面矢視図である。
【図７】本発明の一実施例を示すばね収納ケースの側面図である。
【図８】本発明の一実施例の位置決め用ストッパに係り、（ａ）は正面図、（ｂ）は（ａ）のＣ−Ｃ線における断面図である。
【図９】本発明の一実施例の蓋部材に設けた突起部に係り、（ａ）は側面図、（ｂ）は（ａ）のＤ−Ｄ線における断面矢視図である。
【図１０】本発明の一実施例の回転軸手段に係り、（ａ）は内筒部材が突出した状態を示す断面図、（ｂ）は内筒部材が収縮した状態を示す断面図、（ｃ）は（ｂ）のＥ−Ｅ線における断面図である。
【符号の説明】
【００３７】
１…巻き取り装置
２…窓枠
３…窓枠２の一方の側枠
４…窓枠２の他方の側枠
８…軸受支持ケース
１０…ロール式網戸を用いた遮蔽シート材
１１…回転軸手段
１２…蓋部材
１３…回転軸
１４…軸受
１４ｃ…軸孔
１５…渦巻きばね
１５ａ…内端
１５ｂ…外端
１６…ばね収納ケース
１６ａ…位置決め用凹部
１７…蓋
１８…位置決めストッパ
１８ａ…ストッパ片
１８ｂ…圧縮コイルばねを用いた第１弾発手段
１８ｄ…尖り部
２０…回転規制手段
２１…外筒部材
２２…内筒部材
２３…第２弾発手段
【図１】
2008297735.tif 000003
【図２】
2008297735.tif 000004
【図３】
2008297735.tif 000005
【図４】
2008297735.tif 000006
【図５】
2008297735.tif 000007
【図６】
2008297735.tif 000008
【図７】
2008297735.tif 000009
【図８】
2008297735.tif 000010
【図９】
2008297735.tif 000011
【図１０】
2008297735.tif 000012